(57)【特許請求の範囲】
【請求項１】
昇降路と、この昇降路内に昇降可能に配置した乗かご及びつり合い重りと、前記乗かごを上下方向に案内する一対のかごガイドレールと、前記つり合い重りを上下方向に案内する一対の重りガイドレールと、前記乗かごと前記つり合い重りを連結するロープと、前記ロープを移動させる巻上機と、この巻上機を回転駆動するモータと、前記乗かごが所定階に着床したとき前記モータを制動するブレーキ装置と、前記ブレーキ装置が作動して前記モータを制動し、前記乗かごの戸が開いている状態で前記乗かごが移動したとき、前記ロープの移動を阻止するロープブレーキと、を備えたエレベータ装置において、
前記かごガイドレール及び前記重りガイドレールのうちの一方の、一対の特定ガイドレールに前記ロープブレーキを取り付けるロープブレーキ取り付け装置を備え、
前記昇降路の天井の上方に、前記巻上機、前記モータ、及び前記ブレーキ装置が収容される機械室を有し、
前記ロープブレーキ取り付け装置は、前記一対の特定ガイドレールのうちの一方のガイドレールと他方のガイドレールの間に配置され、前記ロープを挟むように互いに対向して位置する一対の長尺部材から成り、前記ロープブレーキを支持する第１支持部材及び第２支持部材と、これらの第１支持部材と第２支持部材を保持し、前記一対の特定ガイドレールに固定される固定部と、前記ロープブレーキを保持し、前記第１支持部材及び前記第２支持部材に固定される保持台を含み、
前記固定部は、前記一対の特定ガイドレールのそれぞれのガイドレールの近傍位置に配置され、前記第１支持部材及び前記第２支持部材のそれぞれの一端が固定され、これらの第１支持部材及び第２支持部材の荷重を受ける第１受け部材と、前記第１支持部材及び前記第２支持部材のそれぞれの他端が固定され、これらの第１支持部材及び第２支持部材の荷重を受ける第２受け部材と、前記一対の特定ガイドレールのうちの一方のガイドレールを挟むように配置され、前記第１受け部材を支持する一対の第１ブラケット、及び前記一対の特定ガイドレールのうちの他方のガイドレールを挟むように配置され、前記第２受け部材を支持する一対の第２ブラケットと、前記一対の第１ブラケットが固定され、前記一対の特定ガイドレールのうちの前記一方のガイドレールの底部に当接するように配置される第１受け板と、前記一対の第２ブラケットが固定され、前記一対の特定ガイドレールのうちの前記他方のガイドレールの底部に当接するように配置される第２受け板と、前記第１受け板を、前記一対の特定ガイドレールのうちの前記一方のガイドレールに固定する第１クランプと、前記第２受け板を、前記一対の特定ガイドレールのうちの前記他方のガイドレールに固定する第２クランプとを含むことを特徴とするエレベータ装置。
【請求項２】
請求項１に記載のエレベータ装置において、
前記ロープブレーキ取り付け装置により、前記昇降路の前記天井の近傍位置に前記ロープブレーキを取り付けたことを特徴とするエレベータ装置。
【請求項３】
昇降路と、この昇降路内に昇降可能に配置した乗かご及びつり合い重りと、前記乗かごを上下方向に案内する一対のかごガイドレールと、前記つり合い重りを上下方向に案内する一対の重りガイドレールと、前記乗かごと前記つり合い重りを連結するロープと、前記ロープを移動させる巻上機と、この巻上機を回転駆動するモータと、前記乗かごが所定階に着床したとき前記モータを制動するブレーキ装置と、前記ブレーキ装置が作動して前記モータを制動し、前記乗かごの戸が開いている状態で前記乗かごが移動したとき、前記ロープの移動を阻止するロープブレーキと、を備えたエレベータ装置において、
前記かごガイドレール及び前記重りガイドレールのうちの一方の、一対の特定ガイドレールに前記ロープブレーキを取り付けるロープブレーキ取り付け装置を備え、
前記昇降路の上方に機械室を有さない機械室レスエレベータから成り、
前記ロープブレーキ取り付け装置は、前記一対の特定ガイドレールのうちの一方のガイドレールと他方のガイドレールの間に配置され、前記ロープを挟むように互いに対向して位置する一対の長尺部材から成り、前記ロープブレーキを支持する第１支持部材及び第２支持部材と、これらの第１支持部材と第２支持部材を保持し、前記一対の特定ガイドレールに固定される固定部と、前記ロープブレーキを保持し、前記第１支持部材及び前記第２支持部材に固定される保持台を含み、
前記固定部は、前記一対の特定ガイドレールのそれぞれのガイドレールの近傍位置に配置され、前記第１支持部材及び前記第２支持部材のそれぞれの一端が固定され、これらの第１支持部材及び第２支持部材の荷重を受ける第１受け部材と、前記第１支持部材及び前記第２支持部材のそれぞれの他端が固定され、これらの第１支持部材及び第２支持部材の荷重を受ける第２受け部材と、前記一対の特定ガイドレールのうちの一方のガイドレールを挟むように配置され、前記第１受け部材を支持する一対の第１ブラケット、及び前記一対の特定ガイドレールのうちの他方のガイドレールを挟むように配置され、前記第２受け部材を支持する一対の第２ブラケットと、前記一対の第１ブラケットが固定され、前記一対の特定ガイドレールのうちの前記一方のガイドレールの底部に当接するように配置される第１受け板と、前記一対の第２ブラケットが固定され、前記一対の特定ガイドレールのうちの前記他方のガイドレールの底部に当接するように配置される第２受け板と、前記第１受け板を、前記一対の特定ガイドレールのうちの前記一方のガイドレールに固定する第１クランプと、前記第２受け板を、前記一対の特定ガイドレールのうちの前記他方のガイドレールに固定する第２クランプとを含むことを特徴とするエレベータ装置。
【請求項４】
請求項３に記載のエレベータ装置において、
前記昇降路の頂部に設けた支持梁と、この支持梁に保持され、前記ロープが巻き掛けられる頂部プーリとを備え、
前記ロープブレーキ取り付け装置により、前記頂部プーリの近傍位置に前記ロープブレーキを取り付けたことを特徴とするエレベータ装置。
【発明の詳細な説明】
【技術分野】
【０００１】
本発明は、巻上機を回転駆動するモータを制動するブレーキ装置を備えるとともに、戸開走行時にロープの移動を阻止するロープブレーキを備えたエレベータ装置に関する。
【背景技術】
【０００２】
この種の従来技術が特許文献１に開示されている。この特許文献１に開示された従来のエレベータ装置は、乗かご及びつり合い重りと、これらの乗かごとつり合い重りを連結するロープと、昇降路の天井の上方に設けた機械室内に配置され、ロープを移動させる巻上機とを備えている。また、このエレベータ装置は、巻上機に取り付けられ、ロープが掛け回されるメインシーブと、機械室内に配置されてロープが掛け回され、乗かごがつり合い重りから離隔するようにロープを反らせるそらせシーブとを備えている。
【０００３】
なお、この特許文献１には開示されていないが、一般にエレベータ装置にあっては、巻上機を回転駆動するモータと、乗かごが所定階に着床したときモータを制動するブレーキ装置とを備えている。
【０００４】
また、この特許文献１に開示された従来技術は、ブレーキ装置が作動してモータを制動し、乗かごの戸が開かれている状態で乗かごが移動、すなわち戸開走行したときに、ロープの移動すなわち乗かごの移動を阻止するロープブレーキを備えている。このロープブレーキは、メインシーブとそらせシーブの間に位置するロープの部分を把持することによってロープの移動を阻止するようになっている。
【先行技術文献】
【特許文献】
【０００５】
【特許文献１】特開２００７−２０４２３８号公報
【発明の概要】
【発明が解決しようとする課題】
【０００６】
ところで、ロープブレーキを設置する場合、エレベータ装置の機種によってはメインシーブとそらせシーブの間隔が狭くて設置できないことがある。このような場合には、メインシーブとそらせシーブとの間隔を広げるために、巻上機が設置されている機械室内において、重量物である巻上機を揚重装置で吊り上げ、巻上機の下側に高さ寸法を確保するスペーサを挿入するなどの大掛かりな作業が必要となる。
【０００７】
なお、機械室によっては、巻上機を吊り上げる空間を確保できず、ロープブレーキの設置が困難となる場合がある。このような場合には、例えばロープブレーキを機械室の床上に設置することが考えられるが、機械室の床上には巻上機を支持するマシンベース等の機材が設置されていることから、この床上にロープブレーキの設置スペースを確保することも困難である。
【０００８】
本発明は、前述した従来技術における実情からなされたもので、その目的は、エレベータ装置の機種及び機械室による制約を受けることなく、ロープブレーキを設置することができるエレベータ装置を提供することにある。
【課題を解決するための手段】
【０００９】
前記目的を達成するために、本発明に係るエレベータ装置の一態様は、昇降路と、この昇降路内に昇降可能に配置した乗かご及びつり合い重りと、前記乗かごを上下方向に案内する一対のかごガイドレールと、前記つり合い重りを上下方向に案内する一対の重りガイドレールと、前記乗かごと前記つり合い重りを連結するロープと、前記ロープを移動させる巻上機と、この巻上機を回転駆動するモータと、前記乗かごが所定階に着床したとき前記モータを制動するブレーキ装置と、前記ブレーキ装置が作動して前記モータを制動し、前記乗かごの戸が開いている状態で前記乗かごが移動したとき、前記ロープの移動を阻止するロープブレーキと、を備えたエレベータ装置において、前記かごガイドレール及び前記重りガイドレールのうちの一方の、一対の特定ガイドレールに前記ロープブレーキを取り付けるロープブレーキ取り付け装置を備え、前記昇降路の天井の上方に、前記巻上機、前記モータ、及び前記ブレーキ装置が収容される機械室を有し、前記ロープブレーキ取り付け装置は、前記一対の特定ガイドレールのうちの一方のガイドレールと他方のガイドレールの間に配置され、前記ロープを挟むように互いに対向して位置する一対の長尺部材から成り、前記ロープブレーキを支持する第１支持部材及び第２支持部材と、これらの第１支持部材と第２支持部材を保持し、前記一対の特定ガイドレールに固定される固定部と、前記ロープブレーキを保持し、前記第１支持部材及び前記第２支持部材に固定される保持台を含み、前記固定部は、前記一対の特定ガイドレールのそれぞれのガイドレールの近傍位置に配置され、前記第１支持部材及び前記第２支持部材のそれぞれの一端が固定され、これらの第１支持部材及び第２支持部材の荷重を受ける第１受け部材と、前記第１支持部材及び前記第２支持部材のそれぞれの他端が固定され、これらの第１支持部材及び第２支持部材の荷重を受ける第２受け部材と、前記一対の特定ガイドレールのうちの一方のガイドレールを挟むように配置され、前記第１受け部材を支持する一対の第１ブラケット、及び前記一対の特定ガイドレールのうちの他方のガイドレールを挟むように配置され、前記第２受け部材を支持する一対の第２ブラケットと、前記一対の第１ブラケットが固定され、前記一対の特定ガイドレールのうちの前記一方のガイドレールの底部に当接するように配置される第１受け板と、前記一対の第２ブラケットが固定され、前記一対の特定ガイドレールのうちの前記他方のガイドレールの底部に当接するように配置される第２受け板と、前記第１受け板を、前記一対の特定ガイドレールのうちの前記一方のガイドレールに固定する第１クランプと、前記第２受け板を、前記一対の特定ガイドレールのうちの前記他方のガイドレールに固定する第２クランプとを含むことを特徴としている。
【発明の効果】
【００１０】
本発明に係るエレベータ装置は、ロープブレーキ取り付け装置によってロープブレーキを、かごガイドレール及び重りガイドレールのうちの一方の、一対の特定ガイドレールに取り付けるようにしたことから、エレベータ装置の機種及び機械室による制約を受けることなくロープブレーキを設置することができる。
【図面の簡単な説明】
【００１１】
【図１】本発明に係るエレベータ装置の第１実施形態を示す側面図である。
【図２】図１のＡ部拡大図である。
【図３】図２のＢ−Ｂ矢視図である。
【図４】図２のＣ矢視拡大図である。
【図５】本発明の第２実施形態の要部を示す正面図である。
【発明を実施するための形態】
【００１２】
以下、本発明に係るエレベータ装置の実施の形態を図面に基づいて説明する。
【００１３】
図１は本発明に係るエレベータ装置の第１実施形態を示す側面図、図２は図１のＡ部拡大図、図３は図２のＢ−Ｂ矢視図、図４は図２のＣ矢視拡大図である。
【００１４】
図１に示すように、第１実施形態に係るエレベータ装置は、昇降路１の天井１ａの上方に機械室７を有している。
【００１５】
この第１実施形態は、昇降路１内に昇降可能に配置した乗かご２及びつり合い重り３と、乗かご２を上下方向に案内する一対のかごガイドレール４ａ，４ｂと、つり合い重り３を上下方向へ案内する一対の重りガイドレール５ａ，５ｂと、乗かご２とつり合い重り３を連結するロープ６とを備えている。
【００１６】
機械室７の床上にはマシンベース８を設置してあり、このマシンベース８上にロープ２を移動させる巻上機９を配置してある。また、巻上機９を回転駆動するモータ１０と、乗かご２が所定階に着床したときモータ１０を制動するブレーキ装置１１とを備えている。
【００１７】
また、巻上機９に取り付けられ、ロープ６が掛け回されるメインシーブ１４と、ロープ６が掛け回され、乗かご２がつり合い重り３から離隔するようにロープ６を反らせるそらせシーブ１５とを備えている。
【００１８】
さらに、ブレーキ装置１１が作動してモータ１０を制動し、乗かご２の戸が開いている状態で乗かご２が移動したとき、すなわち戸開走行時にロープ６の移動を阻止するロープブレーキ２０を備えている。
【００１９】
特に、この第１実施形態は、かごガイドレール４ａ，４ｂ及び重りガイドレール５ａ，５ｂのうちの一方の、一対の特定ガイドレール、例えば重りガイドレール５ａ，５ｂにロープブレーキ２０を取り付けるロープブレーキ取り付け装置１８を備えている。同図１に示すように、ロープブレーキ２０は、昇降路１の天井１ａの近傍位置に配置してある。
【００２０】
前述したロープブレーキ取り付け装置１８は、図３に示すように、一対の特定ガイドレール、すなわち重りガイドレール５ａ，５ｂのうちの一方のガイドレール５ａと他方のガイドレール５ｂの間に配置され、ロープ６を挟むように互いに対向して位置する一対の長尺部材から成り、ロープブレーキ２０を支持する第１支持部材２２ａ及び第２支持部材２２ｂを含んでいる。
【００２１】
また、このロープブレーキ取り付け装置１８は、図２，３にも示すように、ロープブレーキ２０を保持し、第１支持部材２２ａ及び第２支持部材２２ｂ上に固定される保持台２１を含んでいる。
【００２２】
また、このロープブレーキ取り付け装置１８は、第１支持部材２２ａと第２支持部材２２ｂを保持し、重りガイドレール５ａ，５ｂに固定される固定部を含んでいる。
【００２３】
前述した固定部は、同図２，３に示すように、重りガイドレール５ａ，５ｂの近傍位置に配置され、第１支持部材２２ａ及び第２支持部材２２ｂのそれぞれの一端が固定され、これらの第１支持部材２２ａ及び第２支持部材２２ｂの荷重を受ける第１受け部材２３ａと、第１支持部材２２ａ及び第２支持部材２２ｂのそれぞれの他端が固定され、これらの第１支持部材２２ａ及び第２支持部材２２ｂの荷重を受ける第２受け部材２３ｂとを含んでいる。
【００２４】
また固定部は、図３に示すように、重りガイドレール５ａ，５ｂのうちの一方のガイドレール５ａを挟むように配置され、第１受け部材２３ａを支持する一対の第１ブラケット２４ａ１，２４ａ２、及び重りガイドレール５ａ，５ｂのうちの他方のガイドレール５ｂを挟むように配置され、第２受け部材２３ｂを支持する一対の第２ブラケット２４ｂ１，２４ｂ２を含んでいる。
【００２５】
また固定部は、図２〜４に示すように、一対の第１ブラケット２４ａ１，２４ａ２が４本の第１固定ボルト２６ａによって固定され、重りガイドレール５ａ，５ｂのうちの一方のガイドレール５ａの底部に当接するように配置される第１受け板２５ａと、一対の第２ブラケット２４ｂ１，２４ｂ２が４本の第２固定ボルト２６ｂによって固定され、重りガイドレール５ａ，５ｂのうちの他方のガイドレール５ｂの底部に当接するように配置される第２受け板２５ｂとを含んでいる。
【００２６】
さらに固定部は、図３，４等に示すように、第１受け板２５ａを、重りガイドレール５ａ，５ｂのうちの一方のガイドレール５ａに、第１締結ボルト２８ａのそれぞれを介して固定する４つの第１クランプ２７ａと、第２受け板２５ｂを、重りガイドレール５ａ，５ｂのうちの他方のガイドレール５ｂに、第２締結ボルト２８ｂのそれぞれを介して固定する４つの第２クランプ２７ｂとを含んでいる。
【００２７】
このように構成した第１実施形態に係るエレベータ装置は、制御装置１３の制御により乗かご１が通常走行して所定階に着床し、巻上機９を駆動するモータ１０がブレーキ装置１１によって制動され、乗かご１の戸、及び乗場の戸が開かれた状態で戸開走行が行われたときには、図示しない戸開検出手段から制御装置１３に戸開検出信号が出力される。
【００２８】
これによりロープブレーキ２０が作動し、このロープブレーキ２０によってロープ６の移動が阻止され、乗かご１は停止する。このように戸開走行が行われたときには、制御装置１３から出力される信号により、乗かご１は速やかに停止制御される。
【００２９】
このように構成した第１実施形態に係るエレベータ装置によれば、ロープブレーキ取り付け装置１８によってロープブレーキ２０を、一対の特定ガイドレール、今の場合は重りガイドレール５ａ，５ｂに取り付けるようにしたことから、エレベータ装置の機種及び機械室７による制約を受けることなくロープブレーキ２０を設置することができる。
【００３０】
また、この第１実施形態は、昇降路１の天井１ａの近傍位置にロープブレーキ２０を配置したことから、乗かご２及びつり合い重り３の走行に支障を生じさせることなくロープブレーキ２０を設置することができる。
【００３１】
また、この第１実施形態は、ロープブレーキ取り付け装置１８の第１支持部材２２ａと第２支持部材２２ｂを、ロープ６を挟むように配置したことから、ロープ６の移動に支障を生じさせることなくロープブレーキ取り付け装置１８を設置することができる。
【００３２】
また、この第１実施形態は、重りガイドレール５ａ，５ｂのそれぞれのガイドレールを挟むように配置され、第１受け部材２３ａを支持する一対の第１ブラケット２４ａ１，２４ａ２、第２受け部材２３ｂを支持する一対の第２ブラケット２４ｂ１，２４ｂ２と、第１ブラケット２４ａ１，２４ａ２が固定される第１受け板２３ａと、第２ブラケット２４ｂ１，２４ｂ２が固定される第２受け板２３ｂと、第１受け板２３ａを重りガイドレール５ａに固定する第１クランプ２７ａと、第２受け板２３ｂを重りガイドレール５ｂに固定する第２クランプ２７ｂとを備えたことから、ロープブレーキ取り付け装置１８を、重りガイドレール５ａ，５ｂとの干渉を生じさせることなく設置することができる。
【００３３】
図５は、本発明の第２実施形態の要部を示す正面図である。
【００３４】
この図５に示す第２実施形態に係るエレベータ装置は、昇降路１の上方に機械室を有さない機械室レスエレベータから成っている。
【００３５】
この第２実施形態は、昇降路１の頂部に設けた支持梁３０と、この支持梁３０に保持され、ロープ６が巻き掛けられる頂部プーリ３１とを備え、この頂部プーリ３１の近傍位置の例えば重りガイドレール５ａ，５ｂに、ロープブレーキ２０を取り付けるロープブレーキ取り付け装置１８を配置してある。
【００３６】
この図５に示す機械室レスエレベータにあっては、ロープ６は、一端６ａが支持梁３０に固定され、つり合い重り３の上部に配置された重り側プーリ３２に巻き掛けられ、次いで頂部プーリ３１に巻き掛けられ、さらに乗かご２の下部に配置されたかご側プーリ３３に巻き掛けられ、他端６ｂが支持梁３０に固定される。
【００３７】
このように各プーリ３２，３１，３３に巻き掛けられるロープ６は、例えば昇降路１の底部付近に配置された図示しない巻上機のシーブに巻き掛けられ、巻上機のシーブの回転駆動によって移動する。このロープ６の移動に伴って乗かご２が昇降する。
【００３８】
同図５のＡ１部の構造は、図１のＡ部の構造と同等である。すなわち、この第２実施形態も、第１実施形態と同等のロープブレーキ取り付け装置１８を備えている。
【００３９】
このように構成した第２実施形態も、第１実施形態と同等のロープブレーキ取り付け装置１８を備えていることから、第１実施形態と略同等の作用効果が得られる。また、この第２実施形態は、頂部プーリ３１の近傍位置にロープブレーキ２０を配置したことから、前述した第１実施形態と同様に、乗かご２及びつり合い重り３の走行に支障を生じさせることなくロープブレーキ２０を設置することができる。
【符号の説明】
【００４０】
１    昇降路
１ａ  天井
２    乗かご
３    つり合い重り
４ａ  かごガイドレール
４ｂ  かごガイドレール
５ａ  重りガイドレール
５ｂ  重りガイドレール
６    ロープ
７    機械室
９    巻上機
１０    モータ
１１    ブレーキ装置
１８    ロープブレーキ取り付け装置
２０    ロープブレーキ
２１    保持台
２２ａ  第１支持部材
２２ｂ  第２支持部材
２３ａ  第１受け部材
２３ｂ  第２受け部材
２４ａ１  第１ブラケット
２４ａ２  第１ブラケット
２４ｂ１  第２ブラケット
２４ｂ２  第２ブラケット
２５ａ  第１受け板
２５ｂ  第２受け板
２７ａ  第１クランプ
２７ｂ  第２クランプ
３０    支持梁
３１    頂部プーリ
【図１】
0006294252.tif 000002
【図２】
0006294252.tif 000003
【図３】
0006294252.tif 000004
【図４】
0006294252.tif 000005
【図５】
0006294252.tif 000006